(57)【要約】      （修正有）【課題】暗所での複数箇所への適切な照明を可能にし、かつ、照明点灯の際にも高い操作性を確保することが可能な可搬型ガス検知装置を提供する。【解決手段】このガス検知装置１００（可搬型ガス検知装置）は、操作者により把持可能な筐体１と、検知対象ガスを筐体１内に採取するガス採取部と、筐体１内に採取された検知対象ガスを検知するガス検知部６と、筐体照明４および前方照明３と、操作者の操作入力を受け付ける入力部と、入力部を介した第１操作に基づいて筐体照明４を点灯する制御を行い、第１操作から継続的に入力される第２操作に基づいて前方照明３を追加点灯する制御を行う制御部７とを備える。【選択図】図２
2018040654.tif 000002
【特許請求の範囲】
【請求項１】
操作者により把持可能な筐体と、
検知対象ガスを前記筐体内に採取するガス採取部と、
前記筐体内に採取された検知対象ガスを検知するガス検知部と、
第１照明、および、前記第１照明とは異なる方向に光を照射する第２照明と、
操作者の操作入力を受け付ける入力部と、
前記入力部を介した第１操作に基づいて前記第１照明を点灯する制御を行い、前記第１操作から継続的に入力される第２操作に基づいて前記第２照明を追加点灯する制御を行う制御部とを備える、可搬型ガス検知装置。
【請求項２】
前記第２照明は、前記筐体から前記ガス採取部の先端側に向けて光を照射する前方照明であり、
前記第１照明は、前記ガス採取部の先端側とは異なる前記筐体側に光を照射する筐体照明である、請求項１に記載の可搬型ガス検知装置。
【請求項３】
前記入力部は、１または複数のスイッチを含み、
前記制御部は、同一の１つの前記スイッチを用いた前記第１操作および前記第２操作を受け付けるように構成されている、請求項１または２に記載の可搬型ガス検知装置。
【請求項４】
前記第１操作は、第１時間の間、前記スイッチの入力を継続する操作であり、
前記第２操作は、前記第１時間よりも長い第２時間の間、前記第１操作の入力が確定した後も継続して前記スイッチを入力する操作である、請求項３に記載の可搬型ガス検知装置。
【請求項５】
前記制御部は、前記第２照明の点灯後、前記入力部を介した入力が継続されている間、前記第１照明および前記第２照明の両方を点灯させるように構成されている、請求項１〜４のいずれか１項に記載の可搬型ガス検知装置。
【請求項６】
前記制御部は、前記第２照明の点灯後、前記入力部を介した入力が解除されてから第１予備時間の経過後に、前記第１照明および前記第２照明の両方を消灯させるように構成されている、請求項１〜５のいずれか１項に記載の可搬型ガス検知装置。
【請求項７】
前記制御部は、前記第１照明の点灯後、前記第２操作が行われなかった場合、前記第１予備時間よりも短い第２予備時間の経過後に、前記第１照明を消灯させるように構成されている、請求項６に記載の可搬型ガス検知装置。
【請求項８】
前記制御部は、前記第１照明の点灯後、前記第２操作が行われなかった場合、前記第１照明を消灯させるまでの間、前記第２操作の受付を行わないように構成されている、請求項１〜７のいずれか１項に記載の可搬型ガス検知装置。
【請求項９】
前記第２照明の光量は、前記第１照明の光量よりも大きい、請求項１〜８のいずれか１項に記載の可搬型ガス検知装置。
【請求項１０】
前記筐体に設けられた表示部をさらに備え、
前記筐体照明は、前記表示部を含む範囲に光を照射する、請求項２に記載の可搬型ガス検知装置。
【発明の詳細な説明】
【技術分野】
【０００１】
この発明は、可搬型ガス検知装置に関する。
【背景技術】
【０００２】
従来、可搬型ガス検知器が知られている（たとえば、特許文献１参照）。
【０００３】
上記特許文献１には、ガス検知器本体(筐体)と、ガスを採取するためのサンプリングチューブ（ガス採取部）とを備えた可搬型ガス検知器が開示されている。このガス検知器は、サンプリングチューブの先端部からガスを採取して検知する構造となっている。地中やタンク内、その他の暗所でもサンプリングチューブの先端部や前方の被検査箇所（ガス漏れ検査箇所）を確認できるようにするため、サンプリングチューブの先端部に発光部(照明)が設けられている。発光部は発光ダイオードなどであり、スイッチ操作によって点灯する。
【先行技術文献】
【特許文献】
【０００４】
【特許文献１】特開２００７−１０８１２８号公報
【発明の概要】
【発明が解決しようとする課題】
【０００５】
上記特許文献１では、ガス検知器本体（筐体）から離れたサンプリングチューブ（ガス採取部）の先端部や前方の被検査箇所を発光部（照明）によって確認することが可能であるものの、たとえば操作者が把持する筐体の表示部や操作スイッチまでを照らすような照明は困難であるという問題点がある。また、単純にサンプリングチューブ先端部の照明とは異なる別の照明を追加する場合、複数の照明の各々のスイッチ操作が煩雑になり、暗所での使用状況における可搬型ガス検知装置の操作性が悪化するという問題点がある。操作性の悪化は、単に利便性が低下するだけでなく、誤操作の原因にもなるため好ましくない。
【０００６】
この発明は、上記のような課題を解決するためになされたものであり、この発明の１つの目的は、暗所での複数箇所への適切な照明を可能にし、かつ、照明点灯の際にも高い操作性を確保することが可能な可搬型ガス検知装置を提供することである。
【課題を解決するための手段】
【０００７】
この発明の一の局面による可搬型ガス検知装置は、操作者により把持可能な筐体と、検知対象ガスを筐体内に採取するガス採取部と、筐体内に採取された検知対象ガスを検知するガス検知部と、第１照明、および、第１照明とは異なる方向に光を照射する第２照明と、操作者の操作入力を受け付ける入力部と、入力部を介した第１操作に基づいて第１照明を点灯する制御を行い、第１操作から継続的に入力される第２操作に基づいて第２照明を追加点灯する制御を行う制御部とを備える。なお、第１照明および第２照明は、所定範囲に光を照射して明るくすることが可能な照明を指し、単なる表示灯（インジケータランプ）は含まない。
【０００８】
この発明の一の局面による可搬型ガス検知装置では、上記のように、第１照明、および、第１照明とは異なる方向に光を照射する第２照明を設ける。これにより、暗所でも、第１照明に加えて第２照明を点灯させることにより十分な光量を確保したり、たとえば第１照明が操作者の手元側を照らし、第２照明がガス採取部の前方側の被検査箇所を照らすように構成することが可能となるので、暗所でも複数箇所への適切な照明が可能となる。さらに、入力部を介した第１操作に基づいて第１照明を点灯する制御を行い、第１操作から継続的に入力される第２操作に基づいて第２照明を追加点灯する制御を行う制御部を設けることによって、操作者は、第１照明を点灯する第１操作の入力から引き続いて、そのまま第２操作の入力（第２照明の点灯）を継続的に行うことができる。その結果、たとえば各々の照明に応じた複数のスイッチを別々に操作する必要がある場合と異なり、一連の継続的な操作（第１操作および第２操作）での照明点灯によって、手元が不確かな暗所でも高い操作性が得られる。以上により、本発明によれば、暗所での複数箇所への適切な照明を可能にし、かつ、照明点灯の際にも高い操作性を確保することができる。
【０００９】
また、本発明によれば、暗所でも高い操作性が確保されるので、第１操作および第２操作を行う際にも誤操作を抑制することが可能となる。さらに、第１操作および第２操作によって、第１照明の点灯、第１照明および第２照明の点灯の順で、照明の光量を段階的に増加させることができるので、第１照明と第２照明とを択一的に点灯させる場合と比較して、容易に光量を確保することができる。そして、第１操作および第２操作を使い分けて、必要に応じた光量での照明が可能となる。
【００１０】
上記一の局面による可搬型ガス検知装置において、好ましくは、第２照明は、筐体からガス採取部の先端側に向けて光を照射する前方照明であり、第１照明は、ガス採取部の先端側とは異なる筐体側に光を照射する筐体照明である。なお、筐体側に光を照射する筐体照明は、筐体の外部から筐体に向けて光を照射するのみならず、筐体自体（内部または表面）において発光することにより筐体の発光部周辺を照らす照明を含む広い概念である。このように構成すれば、暗所でも、前方照明と筐体照明とによって、ガス採取部の前方側の被検査箇所と、操作者の手元側である筐体側とのそれぞれを確認することができる。さらに、第１操作および第２操作によって、筐体照明、筐体照明および前方照明の順で段階的に点灯するので、操作者に近い手元側から順に照明を点灯させていくことができる。その結果、ガス検知装置の状態確認の後、前方の被検査箇所の確認という、操作者の視線の移動（手元から前方へ）に合わせた照明点灯が可能となり、点灯順序が逆の場合と比較して、操作者にとっての使いやすさを向上させることができる。
【００１１】
上記一の局面による可搬型ガス検知装置において、好ましくは、入力部は、１または複数のスイッチを含み、制御部は、同一の１つのスイッチを用いた第１操作および第２操作を受け付けるように構成されている。このように構成すれば、共通の１つのスイッチ操作によって第１操作および第２操作を行うことが可能となるので、より確実に暗所での誤操作を抑制することができる。特に、複数のスイッチがある場合に暗所で手元が見えないと、別々のスイッチを操作する場合には誤操作が発生しやすいが、共通の１つのスイッチを操作するだけで済むので、誤操作を効果的に抑制することができる。また、１つのスイッチを操作するだけでよいので、操作性も容易に向上させることができる。
【００１２】
この場合、好ましくは、第１操作は、第１時間の間、スイッチの入力を継続する操作であり、第２操作は、第１時間よりも長い第２時間の間、第１操作の入力が確定した後も継続してスイッチを入力する操作である。このように構成すれば、スイッチを入力し続けることにより、一連の継続的な操作（第１操作および第２操作）が可能となる。たとえば、所定時間内でのスイッチの入力回数（シングルクリック、ダブルクリック）などの操作の場合、一度スイッチから指を離す必要があり、特に手袋などを装着して行うガス検知作業時には誤操作が発生しやすいが、スイッチを入力し続ける上記構成では誤操作のおそれがなく確実な操作ができる。
【００１３】
上記一の局面による可搬型ガス検知装置において、好ましくは、制御部は、第２照明の点灯後、入力部を介した入力が継続されている間、第１照明および第２照明の両方を点灯させるように構成されている。このように構成すれば、入力操作を継続している間は第１照明および第２照明の点灯状態が継続するので、第１操作および第２操作を何度も繰り返す必要がなくなる。その結果、操作回数を減少させることができるので、誤操作の発生を抑制することができる。
【００１４】
上記一の局面による可搬型ガス検知装置において、好ましくは、制御部は、第２照明の点灯後、入力部を介した入力が解除されてから第１予備時間の経過後に、第１照明および第２照明の両方を消灯させるように構成されている。このように構成すれば、入力部を介した入力操作を解除してからも、しばらく（第１予備時間）の間点灯状態を継続させることができる。その結果、たとえば次の被検査箇所の確認等を行う時間を確保することができるので、暗所での利便性をさらに向上させることができる。
【００１５】
この場合、好ましくは、制御部は、第１照明の点灯後、第２操作が行われなかった場合、第１予備時間よりも短い第２予備時間の経過後に、第１照明を消灯させるように構成されている。このように構成すれば、第２照明を点灯させない場合でも、第２予備時間の間は第１照明の点灯状態が継続するので、たとえば次の操作箇所の確認等を行う時間を確保することができる。ここで、たとえば第１照明が手元側(筐体側)を照らす照明である場合、第２照明を点灯させない時には手元の操作箇所や可搬型ガス検知装置の状態の確認等を行うだけの短時間で済む場合が多いため、第２照明を点灯させた場合の第１予備時間よりも短い第２予備時間だけ点灯を継続させることによって、不必要な電力消費を抑制することができる。
【００１６】
上記一の局面による可搬型ガス検知装置において、好ましくは、制御部は、第１照明の点灯後、第２操作が行われなかった場合、第１照明を消灯させるまでの間、第２操作の受付を行わないように構成されている。このように構成すれば、第１操作が確定した後、操作者が意図せずスイッチ入力をしてしまった場合などに、意図せず第２照明が追加点灯することがなくなる。これにより、手袋の装着時などの誤操作が発生しやすい状況下でも誤操作をさらに抑制することができる。
【００１７】
上記一の局面による可搬型ガス検知装置において、好ましくは、第２照明の光量は、第１照明の光量よりも大きい。このように構成すれば、手元（筐体側）の確認など大きな光量が必要でない場合に第１照明を点灯し、特に光量が必要な前方側の確認などの場合に第２照明を追加点灯させて光量を最大化することができる。また、前方側を照らす第２照明の光量が大きい場合に、手元側を照らす第１照明よりも先に第２照明が点灯されてしまうと、可搬型ガス検知装置の操作箇所やたとえば表示画面などの確認がしづらくなる場合があるが、第１操作および第２操作によって第１照明の点灯後に第２照明が追加点灯される構成によって、操作箇所や表示画面などの視認性が低下することがない。
【００１８】
上記第１照明が、ガス採取部の先端側とは異なる筐体側に光を照射する筐体照明である構成において、好ましくは、筐体に設けられた表示部をさらに備え、筐体照明は、表示部を含む範囲に光を照射する。このように構成すれば、筐体照明によって、暗所でも表示部を確実に視認することができるようになるので、暗所での利便性をさらに向上させることができる。
【発明の効果】
【００１９】
本発明によれば、上記のように、暗所での複数箇所への適切な照明を可能にし、かつ、照明点灯の際にも高い操作性を確保することが可能な可搬型ガス検知装置を提供することができる。
【図面の簡単な説明】
【００２０】
【図１】本発明の一実施形態によるガス検知装置を示す斜視図である。
【図２】一実施形態によるガス検知装置の制御的な構成を示すブロック図である。
【図３】第２操作によって筐体照明および前方照明が点灯した状態を説明するための模式的な斜視図である。
【図４】第１操作によって筐体照明が点灯した状態を説明するための模式的な斜視図である。
【図５】表示部および感度インジケータの一例を示した図である。
【図６】筐体照明および前方照明の点灯制御処理を説明するためのフローチャートである。
【図７】筐体照明の第１変形例を示した模式的な斜視図である。
【図８】筐体照明の第２変形例を示した模式的な斜視図である。
【発明を実施するための形態】
【００２１】
以下、本発明を具体化した実施形態を図面に基づいて説明する。
【００２２】
図１〜図５を参照して、本発明の一実施形態によるによるガス検知装置１００の構成について説明する。ガス検知装置１００は、特許請求の範囲の「可搬型ガス検知装置」の一例である。
【００２３】
本実施形態によるガス検知装置１００は、検知対象ガスを検知して、検知対象ガスの存在を報知する可搬型のガス検知装置である。より具体的には、図１に示すように、ガス検知装置１００は、操作者（ユーザ）が手に把持して使用可能なハンディタイプ（携帯型）のガス検知装置である。
【００２４】
ガス検知装置１００は、たとえば屋内外のガス漏れ検査（ガス漏れ箇所の特定）などに好適に用いられる。ガス検知装置１００は、たとえば、配管、地面、ガス器具などの被検査箇所に対して使用できる。ガス検知装置１００は、夜間の屋外での使用のみならず、屋内の配管設置箇所（シンク下や床下など）の検査など、暗所（暗闇あるいは薄暗い場所）でも使用される。
【００２５】
（ガス検知装置の構成）
図１に示すように、ガス検知装置１００は、操作者により把持可能な筐体１を備えている。筐体１には、ガス採取部２と、前方照明３と、筐体照明４と、入力部５とが設けられている。また、図２に示すように、ガス検知装置１００は、ガス検知部６と、制御部７とを筐体１内に備えている。筐体照明４は、特許請求の範囲の「第１照明」の一例であり、前方照明３は、特許請求の範囲の「第２照明」の一例である。
【００２６】
図１に示すように、筐体１は、概略で角柱状形状を有している。筐体１の長手方向（Ｚ方向）の一方端面である上面１ａには、ガス採取部２および前方照明３が設けられている。以下、筐体１の長手方向（Ｚ方向）を上下方向といい、筐体１のうちで上面１ａ側を上方（Ｚ１方向）、上面１ａとは反対側を下方（Ｚ２方向）という。筐体１の下方側には、操作者に把持される把持部１１が設けられている。
【００２７】
筐体１のうち、上面１ａと直交する一側面である正面１ｂにおいて、入力部５および表示部１２が設けられている。以下、Ｚ方向と直交する短手方向のうち、入力部５および表示部１２が設けられた側（Ｙ１方向）を正面１ｂ側といい、正面１ｂとは反対側（Ｙ２方向）を背面側という。
【００２８】
ガス採取部２は、検知対象ガスを筐体１内に採取するように構成されている。ガス採取部２は、筐体１の上面１ａにおいて、筐体１の内部と連通する取込口２ａと、取込口２ａに着脱可能に装着される採取管２ｂとを含む。取込口２ａは、筐体１の上面１ａから突出した導入管部分である。採取管２ｂは、筐体１の上面１ａから上方（Ｚ１方向）に突出するように設けられており、先端部が開口している。ガス採取部２は、筐体１の内部に設けられた吸引ポンプ１３（図２参照）に接続されている。吸引ポンプ１３が駆動されることにより、採取管２ｂの先端部（Ｚ１方向端部）からガスが吸引され、取込口２ａを介して筐体１内にガスが採取される。なお、採取管２ｂを取り外して取込口２ａを露出させた状態でも、ガスの採取が可能である。図３に示すように、ガス検知装置１００の使用時には、ガス採取部２（採取管２ｂ）の先端部を被検査箇所Ｐに向けて差し出すようにして、ガスが採取される。以下、使用状態を考慮して、ガス採取部２（採取管２ｂ）の先端方向（Ｚ１方向）を「前方」という。
【００２９】
図２を参照して、ガス検知部６は、筐体１内に採取された検知対象ガスを検知するように構成されている。ガス検知部６は、ガス採取部２により筐体１内に取り込まれたガスと接触可能に設けられた感応部（図示せず）を有するガス検知素子である。ガス検知素子としては、たとえば熱線型半導体式センサ、基板型半導体式センサ、接触燃焼式センサなどが採用される。
【００３０】
検知対象ガスとしては、プロパン、イソブタン、メタン、水素などの可燃成分を含む可燃性ガス、悪臭の原因となる成分（硫黄化合物、アミン類、カルボン酸類、ケトン類、アルデヒド類など）を含む悪臭ガス、アルコールなどの揮発成分を含む揮発ガスなどの種々のガスがある。ガス検知素子は、検知対象ガスの種類に応じて選択される。ガス検知部６は、たとえば熱線型半導体式センサを採用し、可燃性ガス（ＬＰＧや都市ガスなど）を検知することが可能である。
【００３１】
図１に戻り、前方照明３は、筐体１からガス採取部２の先端側に向けて光を照射するように構成されている。すなわち、前方照明３は、筐体１の上面１ａに設けられ、ガス採取部２の先端部を含むように概ねＺ１方向に向けて光を出射する。つまり、ガス検知装置１００の使用時に、前方照明３から前方に向けて光が照射される。前方照明３は、中心光軸がＺ１方向を向いて、ガス採取部２の先端部を含むように光を拡散させてもよいし、中心光軸がガス採取部２の先端部を向くようにＺ１方向から傾斜していてもよい。図３に示すように、暗所での使用時に、操作者は前方照明３を点灯させることにより、ガス採取部２の先端部とともに、被検査箇所Ｐをガス採取部２の先端部越しに視認できる。前方照明３は、たとえば発光ダイオードにより構成されるが、光源の種類は特に限定されない。本実施形態では、前方照明３の光量は、筐体照明４の光量よりも大きい。また、本実施形態では、前方照明３は、後述するように第２操作に基づいて追加点灯される照明として構成されている。
【００３２】
図１に示すように、表示部１２は、ガス検知装置１００の各種情報を表示する機能を有する。表示部１２は、入力部５の上方（Ｚ１方向）側に隣接するように配置されている。表示部１２は、液晶ディスプレイからなり、制御部７の制御により設定情報などを表示することが可能である。また、筐体１の正面１ｂには、表示部１２の側方に隣接するように、ガス検知の感度レベルの設定状況を示す感度インジケータ１４が設けられている。
【００３３】
筐体照明４は、前方照明３とは異なる方向に光を照射するように構成されている。本実施形態では、筐体照明４は、ガス採取部２の先端側とは異なる筐体１側に光を照射するように構成されている。より具体的には、筐体照明４は、表示部１２を含む範囲に光を照射するように構成されている。図１の構成例では、筐体照明４は、液晶ディスプレイからなる表示部１２のバックライトとして機能するように構成されている。すなわち、筐体照明４は、筐体１内で表示部１２の背面側に配置され、内部から表示部１２を光らせることにより、筐体１の表示部１２周辺を照らすように構成されている。図４に示すように、暗所において筐体照明４を点灯させることにより、操作者は、表示部１２の画面、表示部１２の近傍の入力部５や感度インジケータ１４などの操作者の手元部分を視認できる。本実施形態では、筐体照明４は、後述するように第１操作に基づいて点灯される照明として構成されている。
【００３４】
図１に戻り、入力部５は、操作者の操作入力を受け付ける機能を有する。入力部５は、把持部１１の上部（Ｚ１側部分）に配置されている。詳細には、入力部５は、把持部１１の上端部近傍において、表示部１２の下側（Ｚ２方向側）に隣接するように配置されている。入力部５は、操作者が把持部１１を把持した状態で、操作者の手指（特に、親指）が入力部５の近傍に位置するように、把持部１１に配置されている。
【００３５】
入力部５は、１または複数のスイッチ１５を含んでいる。本実施形態では、入力部５は、筐体照明４を点灯させる第１操作の入力と、前方照明３を追加点灯させる第２操作の入力とを受け付ける。図１の構成例では、入力部５は、３つのスイッチ１５（１５ａ、１５ｂおよび１５ｃ）を含んでいる。図１では、各スイッチ１５は、機械式の押しボタンスイッチにより構成されているが、タッチセンサ、トグルスイッチなどの他のスイッチでもよい。
【００３６】
各スイッチ１５の配置および機能は特に限定されないが、たとえば図１では、スイッチ１５ａは電源オンオフおよび感度レベルの切替操作スイッチであり、スイッチ１５ｂは吸引ポンプ１３の復帰および照明操作スイッチであり、スイッチ１５ｃが警報ブザー音および操作音の切替操作スイッチである。なお、本実施形態においては、スイッチ１５ｂは、たとえば操作者が把持部１１を把持した際に、操作者の親指が配置される位置に設けられている。これにより、スイッチ１５ｃは、操作者が把持した際の手指の位置のまま、照明の操作入力を受け付けることが可能に構成されている。
【００３７】
また、筐体１の上部には、報知ランプ１６およびスピーカ１７（図２参照）が設けられている。報知ランプ１６は、検知対象ガスの検知時に発光することにより検知対象ガスの存在を操作者に報知する。スピーカ１７は、検知対象ガスの検知時に報知音を出力する他、スイッチ１５の入力時に操作音を出力する。
【００３８】
図２に示すように、制御部７は、ガス検知装置１００の全体の動作を制御する。制御部７は、演算処理を行うプロセッサからなり、記憶部８に記憶されたプログラムに従って、表示部１２の表示制御、ガス検知部６の出力値に基づく検知判定、検知時の報知制御などを行う。また、本実施形態では、制御部７は、入力部５を介した操作に基づいて前方照明３および筐体照明４の点灯制御を行うように構成されている。点灯制御の詳細については、後述する。
【００３９】
記憶部８には、検知判定を行うための感度レベルの設定情報（閾値）や、前方照明３および筐体照明４の点灯制御に関わる設定情報が記憶されている。制御部７は、ガス採取部２を介して採取されたガスに対するガス検知部６の出力値が設定された感度レベルに対応する閾値を超えた場合に、検知対象ガスを検知したと判定して、報知ランプ１６および／またはスピーカ１７により警報動作（ランプ点灯、報知音鳴動）を行う。ガス検知部６および制御部７を含む各部は、電池９からの電力供給によって動作する。
【００４０】
（表示部の表示内容）
図５は、表示部１２および感度インジケータ１４の構成例を示している。表示部１２は、たとえば、ガス検知装置１００の電池残量情報２１を表示する。また、表示部１２は、ガス検知装置１００の設定情報を表示する。たとえば、表示部１２は、検知対象ガスの検知時における報知音（警報ブザー）の出力可否を示す報知音設定情報２２、スイッチ１５の入力時の操作音の出力可否を示す操作音設定情報２３を表示する。スイッチ１５ｃにより報知音の出力や操作音の出力がオフ（出力不可）に設定された場合、報知音設定情報２２や操作音設定情報２３が非表示となる。また、表示部１２は、検知対象ガスの設定情報を表示する。たとえば、表示部１２は、検知対象ガスとしての「ＧＡＳ１」および「ＧＡＳ２」の各々について、ガスの種類情報２４（「ＬＰＧ」など）を表示する。表示部１２には、その他の各種情報が表示可能であり、使用時には、操作者によってこれらの各種情報の確認や設定が行われる。筐体照明４の点灯によって、暗所でも表示部１２の表示内容が視認可能である。
【００４１】
感度インジケータ１４は、たとえば高感度設定から低感度設定までの複数レベル（図５では５段階）の検知感度設定を表示する。感度インジケータ１４は、感度レベル毎に個別の表示ランプ１４ａ〜１４ｅ（図２では図示省略）を有し、操作者によって設定された感度レベルに対応する表示ランプを点灯させる。筐体照明４の点灯によって、暗所でもいずれのレベルの表示ランプが点灯中であるか（消灯中の他の表示ランプとの相対位置）が確認可能である。
【００４２】
（前方照明および筐体照明の点灯制御）
次に、前方照明３および筐体照明４の点灯制御について説明する。本実施形態では、入力部５を介した第１操作に基づいて筐体照明４を点灯する制御を行い、第１操作から継続的に入力される第２操作に基づいて前方照明３を追加点灯する制御を行うように構成されている。制御部７は、第１操作が入力されると、図４に示すように筐体照明４を点灯させる。
【００４３】
制御部７は、筐体照明４を点灯させた後（第１操作が入力された後）、途中で操作が中断されずに第２操作が入力された場合に、筐体照明４に追加してさらに前方照明３を点灯（図３参照）させる。このように、ガス検知装置１００は、継続して入力される一連の第１操作と第２操作とに応じて、筐体照明４のみが点灯する状態（図４参照）から、筐体照明４および前方照明３の両方が点灯する状態（図３参照）に、段階的に移行するように構成されている。
【００４４】
ガス検知装置１００では、共通のスイッチ入力によって第１操作および第２操作を入力することが可能となっている。すなわち、本実施形態では、制御部７は、同一の１つのスイッチ１５を用いた第１操作および第２操作を受け付けるように構成されている。図１の構成例では、同一のスイッチ１５ｂによって、第１操作および第２操作が入力される。なお、図１の構成例では、第１操作および第２操作が入力されるスイッチ１５ｂは、照明の点灯制御以外の吸引ポンプ１３の復帰制御の操作入力も可能な共用スイッチとして構成されている。制御部７は、吸引ポンプ１３の復帰は、ガス採取部２から水等を吸引した場合や、ガス採取部２が塞がれた場合に吸引ポンプ１３をエラー停止する。スイッチ１５ｂは、吸引ポンプ１３がエラー停止した場合の復帰（リセット）スイッチとしても機能する。
【００４５】
制御部７は、スイッチ１５ｂの入力継続時間に応じて、第１操作と第２操作とを受け付けるように構成されている。具体的には、第１操作は、第１時間Ｔ１の間、スイッチ１５ｂの入力を継続する操作であり、第２操作は、第１時間Ｔ１よりも長い第２時間Ｔ２の間、第１操作の入力が確定した後も継続してスイッチ１５ｂを入力する操作である。
【００４６】
第１時間Ｔ１は、特に限定されないが、操作性の観点から十分に短い時間であることが好ましい。本実施形態では、第１時間Ｔ１は、たとえば２００ミリ秒に設定されている。一方、スイッチ１５ｂの入力直後に直ちに点灯させる場合（Ｔ１≒０秒の場合）、誤操作も生じ易くなるため、制御部７は、スイッチ１５ｂが第１時間Ｔ１の間継続して入力され続けた場合に第１操作の入力を確定する。操作者は、暗所でもスイッチ１５ｂを２００ミリ秒以上押し続ければ、筐体照明４を点灯させて表示部１２やその周辺部を視認できる。
【００４７】
第２時間Ｔ２は、第１時間Ｔ１よりも長ければ特に限定されない。誤操作防止の観点から、第１時間Ｔ１と第２時間Ｔ２とは、十分に差があることが好ましい。第２時間Ｔ２は、たとえば、第１時間Ｔ１の２倍以上であり、好ましくは５倍以上である。本実施形態では、第２時間Ｔ２は、たとえば１．５秒（１５００ミリ秒）に設定されている。一方、第２時間Ｔ２が長過ぎると点灯までのタイムラグが大きくなるため、第２時間Ｔ２は１〜２秒程度が好ましい。制御部７は、スイッチ１５ｂが第２時間Ｔ２の間継続して入力され続けた場合に第２操作の入力を確定する。
【００４８】
制御部７は、前方照明３の点灯後、入力部５を介した入力が継続されている間、筐体照明４および前方照明３の両方を点灯させるように構成されている。すなわち、制御部７は、スイッチ１５ｂが第２時間Ｔ２の間継続して入力され続けて第２操作の入力を確定した後、スイッチ１５ｂの入力（押圧）が継続している間は、前方照明３および筐体照明４の点灯状態を維持する。
【００４９】
制御部７は、前方照明３の点灯後、入力部５を介した入力が解除されてから第１予備時間Ｔ３の経過後に、筐体照明４および前方照明３の両方を消灯させるように構成されている。すなわち、制御部７は、第２操作の入力を確定した後、スイッチ１５ｂの入力（押圧）が解除されると時間カウントを開始し、スイッチ１５ｂの入力解除からの経過時間が第１予備時間Ｔ３に達した時点で前方照明３および筐体照明４を消灯させる。したがって、制御部７は、前方照明３および筐体照明４を時間差で点灯させ、前方照明３および筐体照明４を両方同時に消灯させる。
【００５０】
第１予備時間Ｔ３は、スイッチ１５ｂの入力を解除した場合でも、操作者がたとえば次の操作や次の被検査箇所Ｐに移行するために、予備的に点灯状態が継続していることが好ましい。また、第１予備時間Ｔ３を十分に長く設定すれば、長時間の点灯が不要な場合なにおいて、第２操作の入力後に直ちにスイッチ入力を解除しても十分な点灯継続時間が得られる。一方、第１予備時間Ｔ３が必要以上に長いと、不必要な電力消費が発生する。そこで、本実施形態では、第１予備時間Ｔ３は、たとえば１０秒に設定されている。
【００５１】
なお、第１時間Ｔ１の間スイッチ入力が継続して第１操作が確定した後（筐体照明４が点灯した後）、第２時間Ｔ２の経過前にスイッチ入力が解除されると、第２操作が確定せずに筐体照明４だけが点灯する。つまり、スイッチ１５ｂの入力が第１時間Ｔ１以上、第２時間Ｔ２未満の間に解除された場合に、筐体照明４だけが点灯する。
【００５２】
制御部７は、筐体照明４の点灯後、第２操作が行われなかった場合、第１予備時間Ｔ３よりも短い第２予備時間Ｔ４の経過後に、筐体照明４を消灯させるように構成されている。すなわち、制御部７は、前方照明３を点灯させずに筐体照明４を点灯させた場合には、スイッチ入力の解除後に点灯状態を継続させる予備時間を、前方照明３および筐体照明４の両方を点灯させた場合と比べて短くする。この場合、制御部７は、入力部５を介した入力が解除されてから第２予備時間Ｔ４の経過後に、筐体照明４を消灯させる。
【００５３】
本実施形態のように２段階（筐体照明４のみ、筐体照明４＋前方照明３の２段階）で光量を増大する構成において、筐体照明４のみの１段階の照明が操作者によって選択された場合、大きな光量や長時間の照明が不要である蓋然性が高い。特に筐体照明４が表示部１２のバックライトとして機能する場合、たとえば画面表示を確認するために点灯させることがあり、その場合の長時間の点灯は不要である。そのため、電力消費の抑制の観点から、第２予備時間Ｔ４を第１予備時間Ｔ３よりも短くする。第２予備時間Ｔ４は、たとえば第１予備時間Ｔ３の半分であり、５秒に設定されている。
【００５４】
なお、制御部７は、筐体照明４の点灯後、第２操作が行われなかった場合、筐体照明４を消灯させるまでの間、第２操作の受付を行わないように構成されている。つまり、制御部７は、スイッチ１５ｂの入力時間が第１時間Ｔ１以上、第２時間Ｔ２未満の間に解除された場合には、入力が解除されてから第２予備時間Ｔ４の経過後までは、第２操作の受付を行わない。このため、筐体照明４だけを点灯させた後、操作者が意図せずにスイッチ１５ｂの再入力を行っても、筐体照明４が消灯するまでは前方照明３が点灯することはない。
【００５５】
（点灯制御処理）
次に、図６を参照して、制御部７による点灯制御処理について説明する。点灯制御処理は、操作者の入力部５（スイッチ１５ｂ）を介した入力操作に基づいて、筐体照明４および前方照明３の点灯・消灯を制御する処理である。
【００５６】
図６のステップＳ１において、制御部７は、スイッチ１５ｂの入力開始から、第１時間Ｔ１の間入力が継続したか否かを判断する。スイッチ１５ｂの入力がない場合や、スイッチ１５ｂの入力が開始から第１時間Ｔ１（２００ミリ秒）の間継続しなかった場合、制御部７は、ステップＳ１の処理を繰り返す。
【００５７】
第１時間Ｔ１の間、スイッチ１５ｂの入力が継続した場合に、第１操作が確定する。すなわち、第１時間Ｔ１の間、スイッチ１５ｂの入力が継続した場合、制御部７は、ステップＳ２に進み、筐体照明４を点灯させる。これにより、操作者は、図４に示したように、暗所でも筐体照明４の光によって表示部１２を確認し、ガス漏れ検査の作業前の表示部１２の電池残量、感度設定や鳴動設定（警報ブザー音、操作音）を確認できる。そして、必要な場合には、操作者は、入力部５の各スイッチ１５を操作して、設定を変更できる。
【００５８】
続いて、ステップＳ３において、制御部７は、スイッチ１５ｂの入力開始から、第２時間Ｔ２の間入力が継続したか否かを判断する。すなわち、筐体照明４を点灯させた後もスイッチ１５ｂの入力状態が継続し、かつ、継続時間が第２時間Ｔ２（１．５秒）に達したか否かが判断される。
【００５９】
第２時間Ｔ２の間、スイッチ１５ｂの入力が継続した場合に、第２操作が確定する。すなわち、第２時間Ｔ２の間、スイッチ１５ｂの入力が継続した場合、制御部７は、ステップＳ４に進み、前方照明３を点灯させる。これにより、操作者は、図３に示したように、暗所でも前方照明３の光によってガス採取部２の先端部（開口）および被検査箇所Ｐを確認し、ガス漏れ検査の作業を容易に行うことができる。
【００６０】
ステップＳ５において、制御部７は、スイッチ１５ｂの入力が解除されたか否かを判断する。スイッチ１５ｂの入力が解除されない場合（入力状態が継続している場合）、制御部７は、筐体照明４および前方照明３を点灯させたままステップＳ５の処理を繰り返す。
【００６１】
スイッチ１５ｂの入力が解除された場合、制御部７は、ステップＳ６に進み、スイッチ１５ｂの入力が解除されてから第１予備時間Ｔ３が経過したか否かを判断する。すなわち、制御部７は、スイッチ１５ｂの入力が解除された後も筐体照明４および前方照明３の点灯状態を継続させたまま、第１予備時間Ｔ３（１０秒）をカウントする。第１予備時間Ｔ３が経過するまで、制御部７は、ステップＳ６の処理を繰り返す。これにより、操作者は、たとえば図３の被検査箇所Ｐの検査が終了してスイッチ１５ｂの入力を解除しても前方照明３の光によって次の被検査箇所の確認などが行える。
【００６２】
第１予備時間Ｔ３が経過すると、制御部７は、ステップＳ７に進み、筐体照明４および前方照明３を消灯して、処理を終了する。
【００６３】
一方、ステップＳ３において、第２時間Ｔ２の経過前にスイッチ入力が解除された場合、第１操作のみが確定して第２操作は確定せずに操作入力が終了する。つまり、第１時間Ｔ１の経過後、第２時間Ｔ２の経過までスイッチ１５ｂの入力が継続しなかった場合、制御部７は、前方照明３を点灯させずに、ステップＳ８に処理を進める。
【００６４】
ステップＳ８において、制御部７は、スイッチ１５ｂの入力が解除されてから第２予備時間Ｔ４が経過したか否かを判断する。すなわち、制御部７は、スイッチ１５ｂの入力が解除された後も筐体照明４の点灯状態を継続（前方照明３は消灯）させたまま、第２予備時間Ｔ４（５秒）をカウントする。第２予備時間Ｔ４が経過するまで、制御部７は、ステップＳ８の処理を繰り返す。ステップＳ８では時間カウントが行われるのみであるので、第２予備時間Ｔ４が経過するまでの間に再度スイッチ１５ｂが入力された場合でも、制御部７は第２操作の受付を行わない。
【００６５】
第２予備時間Ｔ４が経過すると、制御部７は、ステップＳ９に進み、筐体照明４を消灯して、処理を終了する。これにより、操作者は、図４のように表示部１２の表示内容（電池残量など）などを短時間で確認した後、速やかに消灯させることができる。
【００６６】
以上のようにして、本実施形態の点灯制御処理が実施される。
【００６７】
（本実施形態の効果）
本実施形態では、以下のような効果を得ることができる。
【００６８】
本実施形態では、上記のように、筐体照明４、および、筐体照明４とは異なる方向に光を照射する前方照明３を設ける。これにより、暗所でも、筐体照明４に加えて前方照明３を点灯させることにより十分な光量を確保したり、筐体照明４が操作者の手元側を照らし、前方照明３がガス採取部２の前方側の被検査箇所Ｐを照らすように構成することが可能となるので、暗所でも複数箇所への適切な照明が可能となる。さらに、入力部５を介した第１操作に基づいて筐体照明４を点灯する制御を行い、第１操作から継続的に入力される第２操作に基づいて前方照明３を追加点灯する制御を行う制御部７を設けることによって、操作者は、筐体照明４を点灯する第１操作の入力から引き続いて、そのまま第２操作の入力（前方照明３の点灯）を継続的に行うことができる。その結果、たとえば各々の照明に応じた複数のスイッチ１５ｂを別々に操作する必要がある場合と異なり、一連の継続的な操作（第１操作および第２操作）での照明点灯によって、手元が不確かな暗所でも高い操作性が得られる。以上により、本実施形態のガス検知装置１００によれば、暗所での複数箇所への適切な照明を可能にし、かつ、照明点灯の際にも高い操作性を確保することができる。
【００６９】
また、本実施形態のガス検知装置１００によれば、暗所でも高い操作性が確保されるので、第１操作および第２操作を行う際にも誤操作を抑制することが可能となる。さらに、第１操作および第２操作によって、筐体照明４の点灯、筐体照明４および前方照明３の点灯の順で、照明の光量を段階的に増加させることができるので、筐体照明４と前方照明３とを択一的に点灯させる場合と比較して、容易に光量を確保することができる。そして、第１操作および第２操作を使い分けて、必要に応じた光量での照明が可能となる。
【００７０】
また、本実施形態では、上記のように、筐体１からガス採取部２の先端側に向けて光を照射する前方照明３と、ガス採取部２の先端側とは異なる筐体１側に光を照射する筐体照明４とを設ける。これにより、暗所でも、前方照明３と筐体照明４とによって、ガス採取部２の前方側の被検査箇所Ｐと、操作者の手元側である筐体１側とのそれぞれを確認することができる。さらに、第１操作および第２操作によって、筐体照明４、筐体照明４および前方照明３の順で段階的に点灯するので、操作者に近い手元側から順に照明を点灯させていくことができる。その結果、ガス検知装置１００の状態確認の後、前方の被検査箇所Ｐの確認という、操作者の視線の移動（手元から前方へ）に合わせた照明点灯が可能となり、点灯順序が逆の場合と比較して、操作者にとっての使いやすさを向上させることができる。
【００７１】
また、本実施形態では、上記のように、入力部５に１または複数のスイッチ１５ｂを設け、同一の１つのスイッチ１５ｂを用いた第１操作および第２操作を受け付けるように制御部７を構成する。これにより、共通の１つのスイッチ１５ｂの操作によって第１操作および第２操作を行うことが可能となるので、より確実に暗所での誤操作を抑制することができる。特に、複数のスイッチがある場合に暗所で手元が見えないと、別々のスイッチを操作する場合には誤操作が発生しやすいが、共通の１つのスイッチ１５ｂを操作するだけで済むので、誤操作を効果的に抑制することができる。
【００７２】
また、本実施形態では、上記のように、第１操作を、第１時間Ｔ１の間、スイッチ１５ｂの入力を継続する操作とし、第２操作を、第１時間Ｔ１よりも長い第２時間Ｔ２の間、第１操作の入力が確定した後も継続してスイッチ１５ｂを入力する操作とする。これにより、スイッチ１５ｂを入力し続けることにより、一連の継続的な操作（第１操作および第２操作）が可能となる。たとえば、所定時間内でのスイッチ１５ｂの入力回数（シングルクリック、ダブルクリック）などの操作の場合、一度スイッチ１５ｂから指を離す必要があり、特に手袋などを装着して行うガス検知作業時には誤操作が発生しやすいが、スイッチ１５ｂを入力し続ける上記構成では誤操作のおそれがなく確実な操作ができる。
【００７３】
また、本実施形態では、上記のように、前方照明３の点灯後、入力部５を介した入力が継続されている間、筐体照明４および前方照明３の両方を点灯させるように制御部７を構成する。これにより、入力操作を継続している間は筐体照明４および前方照明３の点灯状態が継続するので、第１操作および第２操作を何度も繰り返す必要がなくなる。その結果、操作回数を減少させることができるので、誤操作の発生を抑制することができる。
【００７４】
また、本実施形態では、上記のように、前方照明３の点灯後、入力部５を介した入力が解除されてから第１予備時間Ｔ３の経過後に、筐体照明４および前方照明３の両方を消灯させるように制御部７を構成する。これにより、入力部５を介した入力操作を解除してからも、しばらく（第１予備時間Ｔ３）の間点灯状態を継続させることができる。その結果、たとえば次の被検査箇所Ｐの確認等を行う時間を確保することができるので、暗所での利便性がさらに向上する。
【００７５】
また、本実施形態では、上記のように、筐体照明４の点灯後、第２操作が行われなかった場合、第１予備時間Ｔ３よりも短い第２予備時間Ｔ４の経過後に、筐体照明４を消灯させるように制御部７を構成する。これにより、前方照明３を点灯させない場合でも、第２予備時間Ｔ４の間は筐体照明４の点灯状態が継続するので、たとえば次の操作箇所の確認等を行う時間を確保することができる。ここで、たとえば筐体照明４が手元側（筐体１側）を照らす照明である場合、前方照明３を点灯させない時には手元の操作箇所や可搬型ガス検知装置の状態の確認等を行うだけの短時間で済む場合が多いため、前方照明３を点灯させた場合の第１予備時間Ｔ３よりも短い第２予備時間Ｔ４だけ点灯を継続させることによって、不必要な電力消費を抑制することができる。
【００７６】
また、本実施形態では、上記のように、筐体照明４の点灯後、第２操作が行われなかった場合、筐体照明４を消灯させるまでの間、第２操作の受付を行わないように制御部７を構成する。これにより、第１操作が確定した後、操作者が意図せずスイッチ１５ｂ入力をしてしまった場合などに、意図せず前方照明３が追加点灯することがなくなる。これにより、手袋の装着時などの誤操作が発生しやすい状況下でも誤操作をさらに抑制することができる。
【００７７】
また、本実施形態では、上記のように、前方照明３の光量を、筐体照明４の光量よりも大きくする。これにより、手元（筐体１側）の確認など大きな光量が必要でない場合に筐体照明４を点灯し、特に光量が必要な前方側の確認などの場合に前方照明３を追加点灯させて光量を最大化することができる。また、前方側を照らす前方照明３の光量が大きい場合に、手元側を照らす筐体照明４よりも先に前方照明３が点灯されてしまうと、ガス検知装置１００の操作箇所（入力部５など）や表示部１２の表示画面などの確認がしづらくなる場合があるが、第１操作および第２操作によって筐体照明４の点灯後に前方照明３が追加点灯される構成によって、操作箇所や表示画面などの視認性が低下することがない。
【００７８】
また、本実施形態では、上記のように、筐体１に表示部１２を設け、表示部１２を含む範囲に光を照射する筐体照明４を設ける。これにより、筐体照明４によって、暗所でも表示部１２を確実に視認することができるようになるので、暗所での利便性をさらに向上させることができる。
【００７９】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８０】
たとえば、上記実施形態では、特許請求の範囲の第１照明の一例として前方照明３を設け、特許請求の範囲の第２照明の一例として筐体照明４を設けた例を示したが、本発明はこれに限られない。本発明の第１照明は、ガス採取部２の先端側に向けて光を照射する前方照明３以外の他の照明（他の方向へ光を照射する照明）であってもよいし、本発明の第２照明は、筐体照明４以外の他の照明であってもよい。また、本発明では、第１照明および第２照明に加えて第３照明を設けるなど、３つ以上の照明を設けてもよい。
【００８１】
また、上記実施形態では、筐体照明４が表示部１２のバックライトとして機能する例を示したが、本発明はこれに限られない。本発明では、図７に示す第１変形例のように、筐体照明４をバックライト以外の照明として設けてもよい。図７の第１変形例では、筐体照明４が筐体１の上部において、正面１ｂから突出する突出部１０１に設けられている。筐体照明４は、突出部１０１から筐体１の正面１ｂ（表示部１２および入力部５）に向けて光を照射するように構成されている。
【００８２】
また、図８に示す第２変形例のように、前方照明３や筐体照明４が、筐体１の一部を利用して光を照射する構成であってもよい。図８の第２変形例では、筐体照明４が筐体１内部に配置され、筐体１の正面１ｂに設けられた窓部１０２に光を照射する。窓部１０２は、透光性を有し、筐体１内の筐体照明４からの光が窓部１０２を介して正面１ｂの周囲に照射される。窓部１０２は、たとえば光拡散材により構成されてもよく、その場合には正面１ｂの表示部１２や入力部５を含む広い範囲に光を拡散させて照らすことができる。
【００８３】
この他、たとえば表示部１２として自発光型ディスプレイを採用する場合、表示部１２自体が筐体照明４として機能するように構成されてもよい。
【００８４】
なお、上記実施形態では、筐体照明４が表示部１２を含む範囲に光を照射する構成例を示したが、本発明はこれに限られない。本発明では、筐体照明４が表示部１２を含む範囲に光を照射しなくてもよいし、そもそもガス検知装置に表示部を設けなくてもよい。
【００８５】
また、上記実施形態では、同一の１つのスイッチ１５ｂを用いて第１操作および第２操作を入力する例を示したが、本発明はこれに限られない。本発明では、複数のスイッチ１５を用いて第１操作および第２操作を入力してもよい。本発明では、第１操作と第２操作とが継続的に入力される構成であれば、それぞれの第１操作および第２操作の内容は限定されない。
【００８６】
また、上記実施形態では、第１操作および第２操作を、同一の１つのスイッチ１５ｂの入力を継続する操作とした例を示したが、本発明はこれに限られない。たとえば、第１操作がシングルクリック（スイッチ１５の１回入力操作）で、第２操作がダブルクリック（第１操作に継続してもう１回スイッチ１５を入力する操作）であってもよい。
【００８７】
また、上記実施形態では、前方照明３の点灯後、入力部５を介した入力が継続されている間は筐体照明４および前方照明３の両方を点灯させる例を示したが、本発明はこれに限られない。本発明では、前方照明３の点灯後、入力部５を介した入力が継続されていても、所定時間経過後には各照明を消灯させてもよい。
【００８８】
また、上記実施形態では、入力部５を介した入力が解除されてから第１予備時間Ｔ３（または第２予備時間Ｔ４）の経過後に照明を消灯させる例を示したが、本発明はこれに限られない。本発明では、照明点灯後（第１操作または第２操作の受付後）、入力部の入力が解除された時点で、直ちに照明を消灯させてもよい。
【００８９】
また、上記実施形態では、前方照明３の光量を筐体照明４の光量よりも大きくした例を示したが、本発明はこれに限られない。本発明では、前方照明３の光量が筐体照明４の光量以下でもよい。
【００９０】
また、上記実施形態では、入力部５（スイッチ１５）を表示部１２の下方（Ｚ２方向）に配置した例を示したが、本発明はこれに限られない。たとえば、表示部１２と入力部５（スイッチ１５）とが、上下方向（Ｚ方向）の略同じ位置で、上下方向と直交する左右方向に並んで配置される構成であってもよい。
【００９１】
入力部５の位置に関しては、操作者がガス検知装置１００（把持部１１）を把持した際に、操作者の手指が届く位置に配置されることが好ましい。このような位置に入力部５を配置することによって、操作者は、ガス検知装置１００（把持部１１）を把持した際の手指の配置位置のままで、筐体照明４および前方照明３の点灯操作を行うことができる。これにより、暗所での照明操作について高い操作性を確保し、誤操作の発生を抑制することができる。
【００９２】
図１に示した本実施形態のガス検知装置１００では、上記のように、照明操作を受け付けるスイッチ１５ｂ（入力部５）が、操作者が把持部１１を把持した際に、操作者の親指が配置される位置に設けられており、操作者が把持した際の親指位置のまま、照明の操作入力を受け付けることができるため好ましい。親指以外の手指（人差し指など）で操作入力を行う構成の場合、スイッチ１５ｂ（入力部５）が表示部１２とは反対の背面側に配置されてもよい。
【符号の説明】
【００９３】
１  筐体
２  ガス採取部
３  前方照明（第２照明）
４  筐体照明（第１照明）
５  入力部
６  ガス検知部
７  制御部
１２  表示部
１５（１５ａ，１５ｂ、１５ｃ）  スイッチ
１００  ガス検知装置（可搬型ガス検知装置）
Ｔ１  第１時間
Ｔ２  第２時間
Ｔ３  第１予備時間
Ｔ４  第２予備時間
【図１】
2018040654.tif 000003
【図２】
2018040654.tif 000004
【図３】
2018040654.tif 000005
【図４】
2018040654.tif 000006
【図５】
2018040654.tif 000007
【図６】
2018040654.tif 000008
【図７】
2018040654.tif 000009
【図８】
2018040654.tif 000010